【事件の表示】
　特願２０１１−２３０６９９号「遊技機」拒絶査定不服審判事件〔平成２５年５月１３日出願公開、特開２０１３−８５８１６号〕について、次のとおり審決する。
【結　論】
　本件審判の請求は、成り立たない。
【理　由】
第１　手続の経緯
　本願は、平成２３年１０月２０日の出願であって、平成２４年１０月１６日付けで拒絶の理由が通知され、同年１２月２１日付けで意見書及び手続補正書が提出され、平成２５年７月１６日付けで最後の拒絶の理由が通知され、同年９月２０日付けで意見書及び手続補正書が提出されたが、平成２６年４月２日付けで平成２５年９月２０日付け手続補正が却下されるととともに拒絶査定がなされ（発送日：平成２６年４月８日）、これに対して、同年６月２６日付けで拒絶査定不服審判の請求がなされるとともに手続補正書が提出されたものである。
第２　平成２６年６月２６日付けの手続補正についての補正却下の決定
［補正却下の決定の結論］
　平成２６年６月２６日付けの手続補正（以下、「本件補正」という。）を却下する。
［理由］
１　補正の内容
　本件補正は、特許請求の範囲の請求項１の記載の補正を含む補正であり、特許請求の範囲の請求項１は、
補正前（平成２４年１２月２１日付け手続補正）の
「【請求項１】
　遊技球が打ち込まれて遊技が行われる遊技領域を有する遊技機において、
　表面に前記遊技領域が形成される合成樹脂製の遊技板と、
　前記遊技領域に設けられ遊技球が入賞する入賞口と、
　前記遊技板とは別体にて構成されて当該前記遊技板に取り付けられ、遊技球を発射する発射装置によって打ち込まれる遊技球を前記遊技領域に向けて案内する発射レールと、
　前記入賞口の方向に遊技球を案内する遊技くぎ群からなる道釘と、
　前記遊技板と一体成形され、前記道釘の上流側に位置し、前記発射レールの遊技領域側の面に沿った形状を有する形状部が当該遊技領域側の面に接触または近接して設けられ、当該発射レールの遊技領域側に沿って流下する遊技球を当該道釘に向けて案内する案内部と、
を備えることを特徴とする遊技機。」
から、
補正後（平成２６年６月２６日付け手続補正）の
「【請求項１】
　遊技球が打ち込まれて遊技が行われる遊技領域を有する遊技機において、
　表面に前記遊技領域が形成される合成樹脂製の遊技板と、
　前記遊技領域に設けられ遊技球が入賞する入賞口と、
　前記遊技板とは別体にて構成され
るとともに、同一の成形型によって当該遊技板とともに一体成形された取付部にて当該
　前記入賞口の方向に遊技球を案内する遊技くぎ群からなる道釘と、
　
前記同一の成形型によって前記遊技板および前記取付部とともに
を備えることを特徴とする遊技機。」
へ補正された（下線部は補正箇所を示す。）。
２　補正の目的等
　本件補正は、特許請求の範囲の請求項１について、以下に挙げる補正事項ア及びイを含むものである。
（１）補正事項ア
　補正事項アは、「発射レール」について、補正前の「前記遊技板とは別体にて構成されて当該前記遊技板に取り付けられ、」という記載を、補正後の「前記遊技板とは別体にて構成されるとともに、同一の成形型によって当該遊技板とともに一体成形された取付部にて当該遊技板に取り付けられ、」とする補正である。
　よって、補正事項アは、補正前の「発射レール」が取り付けられる「遊技板」の構成を限定するものであるから、特許法第１７条の２第５項第２号の特許請求の範囲の減縮を目的とするものに該当する。
（２）補正事項イ
　補正事項イは、「案内部」について、補正前の「前記遊技板と一体成形され、」という記載を、補正後の「前記同一の成形型によって前記遊技板および前記取付部とともに一体成形され、」とする補正である。
　よって、補正事項イは、補正前の「案内部」の構成を限定するものであるから、特許法第１７条の２第５項第２号の特許請求の範囲の減縮を目的とするものに該当する。
　そして、補正事項ア及びイは、新規事項を追加するものではない。
３　独立特許要件
　そこで、本件補正後の前記請求項１に記載された発明（以下、「本願補正発明」という。）が特許出願の際独立して特許を受けることができるものであるか（特許法第１７条の２第６項において準用する同法第１２６条第７項の規定に適合するか）について以下に検討する。
（１）刊行物１に記載された発明
　原査定の拒絶の理由に引用された本願出願の日前に頒布された刊行物である、特開２００４−１６４９１号公報（以下、「刊行物１」という。）には、図面とともに次の事項が記載されている（下線は当審で付した。）。
（ａ）
「【００１４】
パチンコ機１
発射操作ハンドル７を操作する
遊技球を
遊技盤２表面の遊技領域９内に向けて発射
【００１５】
遊技盤２は、
第１ガイドレール１１を
止着
打球通路１２となる
第２ガイドレール１３を止着
遊技領域９
始動入賞口２３
配置
（ｂ）
「【００２１】
図４及び図５に示すように、
サイドランプ部材２６は、
案内樋３８
を備えている。
（ｃ）
「【００２８】
この様な構成から成る
サイドランプ部材２６を遊技盤２
に取り付ける
（ｄ）
「【００２９】
サイドランプ部材２６を遊技盤２の表面に固定すると、
案内樋３８の傾斜上端が
第２ガイドレール１３
の円弧面１４に当接
（ｅ）
「【００３１】
そして、
遊技領域９の左
周縁まで
流下してきた遊技球
案内樋３８の傾斜下端から
球流下案内釘列６３を構成する
球流下案内釘列６３および
案内樋３８による球の案内
により、遊技球が
始動入賞口２３
に入賞
（ｆ）
　刊行物１の［図２］、［図９］によると、案内樋３８（［図２］では、案内樋３８が左右２個記載されているところ、そのうち左側の案内樋３８）は、球流下案内釘列６３の上流側に位置していることがわかる。
　したがって、上記記載事項及び図示内容を総合すると、刊行物１には、次の発明（以下、「引用発明」という。）が記載されている。
「遊技球が発射されて遊技が行われる遊技領域９を有するパチンコ機１において、
　表面に遊技領域９がある遊技盤２と、
　遊技領域９に配置され遊技球が入賞する始動入賞口２３と、
　遊技盤２に止着された、発射操作ハンドル７を操作して発射された遊技球の打球通路１２となる第１ガイドレール１１と第２ガイドレール１３と、
　始動入賞口２３に遊技球を案内する球流下案内釘列６３と、
　案内樋３８を備えているサイドランプ部材２６が遊技盤２に取り付けられ、球流下案内釘列６３の上流側に位置し、第２ガイドレール１３の円弧面１４に当接する傾斜上端が設けられ、遊技領域９の左周縁まで流下してきた遊技球を球流下案内釘列６３に案内する案内樋３８と、
を備えるパチンコ機１。」
（２）対比
　本願補正発明と、引用発明とを対比する。
（ア）引用発明の「遊技球が発射されて遊技が行われる遊技領域９」は、本願補正発明における「遊技球が打ち込まれて遊技が行われる遊技領域」に相当し、以下同様に、引用発明の「表面に遊技領域９がある遊技盤２」、「遊技領域９に配置され遊技球が入賞する始動入賞口２３」、「パチンコ機１」は、それぞれ、本願補正発明における「表面に前記遊技領域が形成される」「遊技板」、「遊技領域に設けられ遊技球が入賞する入賞口」、「遊技機」に相当する。
（イ）引用発明における「発射操作ハンドル７」は、本願補正発明における「発射装置」に相当する。
　また、引用発明では、「第１ガイドレール１１と第２ガイドレール１３」が、「遊技盤２に止着され」ているから、「発射レール」は、「前記遊技板とは別体にて構成される」ものである。
　したがって、引用発明の「遊技盤２に止着された、発射操作ハンドル７を操作して発射された遊技球の打球通路１２となる第１ガイドレール１１と第２ガイドレール１３」は、本願補正発明における「遊技板とは別体にて構成される」「遊技板に取り付けられ、遊技球を発射する発射装置によって打ち込まれる遊技球を前記遊技領域に向けて案内する発射レール」に相当する。
（ウ）引用発明の「始動入賞口２３に遊技球を案内する球流下案内釘列６３」は、本願補正発明における「入賞口の方向に遊技球を案内する遊技くぎ群からなる道釘」に相当する。
（エ）引用発明の「案内樋３８」は、本願補正発明における「案内部」に相当し、引用発明の「傾斜上端」は、本願補正発明における「形状部」に相当する。
　そして、引用発明における「傾斜上端」が「第２ガイドレール１３の円弧面１４に当接する」ことは、本願補正発明における「形状部が」「発射レールの遊技領域側の面に沿った形状を有」していることと、「遊技領域側の面に接触または近接して設けられ」ていることに相当する。
　そうすると、本願補正発明と引用発明とは、次の点で一致する。
「遊技球が打ち込まれて遊技が行われる遊技領域を有する遊技機において、
　表面に前記遊技領域が形成される遊技板と、
　前記遊技領域に設けられ遊技球が入賞する入賞口と、
　前記遊技板とは別体にて構成されるとともに、当該遊技板に取り付けられ、遊技球を発射する発射装置によって打ち込まれる遊技球を前記遊技領域に向けて案内する発射レールと、
　前記入賞口の方向に遊技球を案内する遊技くぎ群からなる道釘と、
　前記道釘の上流側に位置し、前記発射レールの遊技領域側の面に沿った形状を有する形状部が当該遊技領域側の面に接触または近接して設けられ、当該発射レールの遊技領域側に沿って流下する遊技球を当該道釘に向けて案内する案内部と、
を備える遊技機。」
　そして、本願補正発明と引用発明とは、次の点で相違する。
［相違点１］
　「遊技板」は、本願補正発明では「合成樹脂製」であるのに対して、引用発明では、そのような特定がなされていない点。
［相違点２］
　「発射レール」の「取付部」が、本願補正発明では、「同一の成形型によって当該遊技板とともに一体成形された」ものであるのに対して、引用発明では、そのような特定がなされていない点。
［相違点３］
　遊技球を案内する「案内部」が、本願補正発明では、「同一の成形型によって前記遊技板および前記取付部とともに一体成形され」ているのに対して、引用発明では、「案内樋３８」が、「サイドランプ部材２６が遊技盤２に取り付けられ」ることによって取り付けられている点。
（３）判断
（ア）［相違点１］について検討する。
　遊技機の技術分野において、遊技板を合成樹脂製とすることは、例えば、特開２００２−１０２４３７号公報（段落［００１３］には、遊技基板２を樹脂材料でインサート成形することが記載されている。）、特開平９−７５５３０号公報（段落［００１７］には、遊技盤１０を樹脂成形することが記載されている。）に記載されているように、周知技術（以下、「周知技術１」という。）である。
　したがって、引用発明において、「遊技盤２」に周知技術１を適用し、前記相違点１に係る本願補正発明の構成とすることは、当業者が容易になし得ることである。
（イ）［相違点２］、［相違点３］については技術的に関連しているので併せて検討する。
　遊技機の技術分野において、遊技板に部品を取り付けるための取付部を、同一の成形型によって遊技板と一体成形することは、例えば、特開２０１１−１９３９５３号公報（［請求項１］には、盤面部品を取り付けるための開口を、遊技盤と射出成形による一体成形することが記載されている。）、特許第３８３６５８６号公報（段落［００１７］には、合成樹脂からなる遊技基盤２に、取付口４を一体に形成することが記載されている。）に記載されているように、周知技術（以下、「周知技術２」という。）である。
　また、遊技機の技術分野において、遊技球を案内する案内部を、同一の成形型によって遊技板とともに一体成形することも、例えば、特開２００２−１０２４３７号公報（段落［００１１］、［００１３］には、左表示灯部５の周壁６１を、インサート成形により、遊技基板２と単一体として形成することが記載されている。）、特開平９−７５５３０号公報（段落［００１７］には、玉案内片２０９，２１０，２１１，２１２を、遊技盤１０と、樹脂成形により一体的に形成することが記載されている。）に記載されているように、周知技術（以下、「周知技術３」という。）である。
　そして、引用発明において、「第１ガイドレール１１と第２ガイドレール１３」と「案内樋３８」とは、それぞれ、遊技盤２の異なる箇所に設けられるものであり、遊技盤２に同時に適用することができるものである。
　したがって、引用発明において、「第１ガイドレール１１と第２ガイドレール１３」の取り付けに周知技術２を適用し、また、「案内樋３８」に周知技術３を適用して、第１ガイドレール１１と第２ガイドレール１３の取付部、及び案内樋３８を、遊技盤２に同一の成形型によって一体成形することで、前記相違点２、相違点３に係る本願補正発明の構成とすることは、当業者が容易になし得ることである。
（ウ）そして、本願補正発明の作用効果は、引用発明及び周知技術１ないし３からみて格別なものではない。
（エ）したがって、本願補正発明は、引用発明及び周知技術１ないし３に基いて、当業者が容易に発明をすることができたものであるからから、特許法第２９条第２項の規定により、特許出願の際独立して特許を受けることができない。
（４）むすび
　よって、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明
（１）
　本件補正は上記のとおり却下されたので、本願の請求項１に係る発明（以下、「本願発明」という。）は、平成２４年１２月２１日付手続補正書により補正された上記第２の１で前述した特許請求の範囲の請求項１に記載された事項により特定される次のとおりのものである。
「【請求項１】
　遊技球が打ち込まれて遊技が行われる遊技領域を有する遊技機において、
　表面に前記遊技領域が形成される合成樹脂製の遊技板と、
　前記遊技領域に設けられ遊技球が入賞する入賞口と、
　前記遊技板とは別体にて構成されて当該前記遊技板に取り付けられ、遊技球を発射する発射装置によって打ち込まれる遊技球を前記遊技領域に向けて案内する発射レールと、
　前記入賞口の方向に遊技球を案内する遊技くぎ群からなる道釘と、
　前記遊技板と一体成形され、前記道釘の上流側に位置し、前記発射レールの遊技領域側の面に沿った形状を有する形状部が当該遊技領域側の面に接触または近接して設けられ、当該発射レールの遊技領域側に沿って流下する遊技球を当該道釘に向けて案内する案内部と、
を備えることを特徴とする遊技機。」
（２）刊行物１に記載された発明並びに周知技術１及び３
　原査定の拒絶の理由に引用された刊行物１の記載事項及び図示内容並びに周知技術１及び３は、それぞれ上記第２の３（１）並びに（３）（ア）及び（イ）に記載したとおりである。
（３）対比・判断
　本願発明は、上記第２の１及び２で検討したとおり、本願補正発明から構成の一部（限定された構成）を省いたものである。
　そして、本願発明と引用発明とを対比すると、前記［相違点１］と、［相違点３−１］で相違し、残余の点で一致する。
［相違点３−１］
　「案内部」が、本願発明では、「遊技板と一体成形され」ているのに対して、引用発明では、そのような特定がなされていない点。
　しかし、［相違点１］については、第２の３（３）（ア）で検討したとおりである。
　また、［相違点３−１］については、  第２の３（３）（イ）で検討したのと同様に、引用発明において、「案内樋３８」に周知技術３を適用し、前記相違点３−１に係る本願補正発明の構成とすることは、当業者が容易になし得ることである。
　したがって、本願発明は、引用発明並びに周知技術１及び３に基いて、当業者が容易に発明をすることができたものであるから、特許法第２９条第２項の記載により特許を受けることができない。
（４）むすび
　以上のとおり、本願発明は、特許法第２９条２項の規定により特許を受けることができないものである。
　よって、結論のとおり審決する。